(57)【要約】【課題】表示装置において、スイッチングＴＦＴの信頼性を確保しつつ、画面書き換え時の時間と消費電流を削減する。【解決手段】複数のデータ信号線と、該データ信号線に対して交差する複数の走査信号線とを有する表示装置において、走査信号線を同時に選択する機能と、全てのデータ信号線に同時に同一のデータ信号を供給する機能とを有するようにしたので、全表示領域を同時に消去できる。【選択図】    図１
2005148711.tif 000002
【特許請求の範囲】
【請求項１】
電気的刺激に対応して光学特性が変化する表示材料と、複数のデータ信号線と、該データ信号線に対して交差する複数の走査信号線と、該複数のデータ信号線にデータ信号を供給するデータ信号処理回路と、該複数の走査信号線に走査信号を供給する走査信号処理回路とを含み、前記データ信号と前記走査信号とを制御することにより前記表示材料の光学特性を変化させる表示装置において、
該走査信号処理回路は、全ての走査信号線を同時に選択する機能を有し、
該データ信号処理回路は、該複数のデータ信号線の個々のデータ信号線に該個々のデータ信号線固有のデータ信号を供給する機能と、全てのデータ信号線に同時に同一のデータ信号を供給する機能とを有する事を特徴とする表示装置。  
【請求項２】
前記表示材料が、液相分散媒と電気泳動粒子とを含む電気泳動分散液であることを特徴とする請求項１に記載の表示装置。
【請求項３】
前記電気泳動分散液がマイクロカプセルに封入されていることを特徴とする請求項１に記載の表示装置。
【請求項４】
前記走査信号処理回路は、
前記複数の走査信号線から特定の走査信号線を選択する走査線選択回路と、
少なくとも１本の走査線制御信号線とを有し、
前記走査線制御信号線に所定の信号を入力することにより前記走査線選択回路からの信号に関わりなく全ての走査信号線を同時に選択する機能を有する事を特徴とする請求項１乃至３のいずれかに記載の表示装置。
【請求項５】
前記データ信号処理回路は、
前記複数のデータ信号線の個々のデータ信号線に該個々のデータ信号線固有のデータ信号を供給するデータ線選択回路と、
少なくとも１本のデータ線制御信号線とを有し、
前記データ線制御信号線に所定の信号を入力することにより前記データ線選択回路からの信号に関わりなく全てのデータ信号線に同時に同一のデータ信号を供給する機能を有する事を特徴とする請求項１乃至３のいずれかに記載の表示装置。
【請求項６】
液相分散媒と電気泳動粒子とを含む電気泳動分散液と、複数のデータ信号線と、該データ信号線に対して交差する複数の走査信号線と、該複数のデータ信号線にデータ信号を供給するデータ信号処理回路と、該複数の走査信号線に走査信号を供給する走査信号処理回路とを含み、前記データ信号と前記走査信号とを制御することにより前記電気泳動分散液の光学特性を変化させる表示装置の駆動方法において、
該走査信号処理回路は、該複数の走査信号線から特定の走査線を選択する特定選択機能と、全ての走査線を同時に選択する全般選択機能とを有し、
該データ信号処理回路は、該複数のデータ信号線の個々の線に該個々の線固有のデータ信号を供給する特定データ信号送信機能と、全てのデータ信号線に同時に同一のデータ信号を供給する全般データ信号送信機能とを有し、
該表示装置の画像を書き換える際に、前記全般データ信号送信機能を動作させて全データ線に同時に同一の消去データ信号を送信するとともに前記全般選択機能を動作させることにより、全画面にわたって旧画像を消去した後に、前記特定データ信号送信機能を動作させるとともに前記特定選択機能を動作させることにより、新規画像を書き込むようにした事を特徴とする表示装置の駆動方法。
【請求項７】
請求項１乃至５のいずれかに記載の表示装置を備えたことを特徴とする電子機器。
【発明の詳細な説明】
【技術分野】
【０００１】
本願発明は、表示装置に関し、特に、液相分散媒と電気泳動粒子とを含む電気泳動分散液と、アクティブマトリクス回路とを含む電気泳動表示装置、その駆動方法、及びその電気泳動表示装置を備えるようにした電子機器に関する。
【背景技術】
【０００２】
従来、液相分散媒と電気泳動粒子とを含む電気泳動分散液を有し、電界を印可することにより、該電気泳動粒子の分布状態が変化し該電気泳動分散液の光学特性が変化することを利用した電気泳動表示装置が知られている。（例えば、特許文献１参照）かかる電気泳動表示装置は、バックライトが必要無いことから低コスト化や薄型化が可能となり、さらに、視野角が広くコントラストが高いことに加え、表示のメモリ性を有するために、次世代の表示デバイスとして注目を集めている。
【０００３】
また、電気泳動表示装置において、電気泳動分散液をマイクロカプセルに封入する手法が提案されている。（例えば、特許文献２参照）電気泳動分散液をマイクロカプセルに封入することにより、表示装置の製造工程において分散液の流出を防止することが出来るとともに、電気泳動粒子の沈降や凝集を減少させることが出来るという利点がある。
【０００４】
さらに、かかる電気泳動表示装置と、アクティブマトリクス装置とを組み合わせ、該アクティブマトリクス装置を操作することにより電気泳動分散液に電界を作用させ、該電気泳動粒子の分布状態を変化させるような電気泳動表示装置が知られている。（例えば、特許文献３参照）
【０００５】
図１６に、従来の電気泳動表示装置の一般的な構成を示す。同図（ａ）は、電気泳動表示装置に使用されるアクティブマトリクス装置の平面図、同図（ｂ）は、電気泳動表示装置の画素部の断面図である。
【０００６】
同図（ａ）に示すように、アクティブマトリクス装置１においては、複数のデータ信号線２と、これらのデータ信号線に交差する複数の走査信号線３と、データ信号線２接続されたデータ信号処理回路４と、走査信号線３に接続された走査信号処理回路５とを有する。さらに、データ信号線２と走査信号３との交点には、トランジスタなどのスイッチング素子６と画素電極７とを有する。
【０００７】
データ信号処理回路４および走査信号処理回路５は、シリアル入力−パラレル出力のシフトレジスタ４３を含み、それにより入力線の本数を低減するように構成されている。すなわち、シフトレジスタの一端から入力されるパルス入力４５はクロックに同期して順々に送られることによりパラレル・データに変換され、シフトレジスタ以外の回路４４により適当な変換（ラッチ、レベルシフタ等）が施された後に、データ信号および走査信号として出力される。
【０００８】
ここで、データ信号処理回路４および走査信号処理回路５からデータ信号線２および走査信号線３へ適宜信号を供給し、スイッチング素子６のＯＮ／ＯＦＦ状態を制御することにより、画素電極７に対して電気的作用を及ぼすことが出来る。
【０００９】
たとえば、データ信号線に対して何らかのデータ信号を供給した状態で、複数の走査信号線の内いずれか一本だけを選択するような走査信号を供給すると、選択された走査信号線に接続されたスイッチング素子６がＯＮとなり、データ信号線２と画素電極７とが実質的に導通する。すなわちこの時、データ信号線２に供給されている信号（電圧）は、ＯＮとなったスイッチング素子６を介して画素電極７に供給されることになる。一方、選択されていない走査信号線に接続されたスイッチング素子はＯＦＦのままであり、データ信号線と画素電極とは実質的に非導通である。
【００１０】
このように、アクティブマトリクス装置においては、所望の走査信号線に接続されたトランジスタだけを選択的にＯＮ／ＯＦＦすることができるので、クロストークの問題が生じにくく、また、回路動作の高速化が可能である。
【００１１】
アクティブマトリックス装置において、データ信号線と走査信号線との制御には、点順次制御と線順次制御の２つの方式がある。
【００１２】
点順次制御は、複数のデータ信号線の内いずれか一本にデータ信号を供給した状態で、複数の走査信号線の内いずれか一本だけを選択するような走査信号を供給する方法であり、常にいずれか１つの画素電極だけ（データ信号の供給されているデータ信号線と選択されている走査信号線との交点）にデータ信号が供給される。一方、線順次制御は、シフトレジスタを経て全てのデータ信号線に対するデータ信号が揃った時点で複数の走査信号線の内いずれか一本だけを選択する方法であり、選択された走査信号線の繋がっている全ての画素電極にデータ信号が供給される。
【００１３】
図１６（ｂ）の断面図に示すように、各画素においては、画素電極７と共通電極８とが所定の間隔（通常は数μｍから数十μｍ程度）を持って対向して配置され、それらの電極で形成された空間に、液相分散媒１１と電気泳動粒子１２とを含む電気泳動分散液１０が封入されている。ここで、同図（ｂ）では、簡単のために、データ信号線と走査信号線は省略している。
【００１４】
かかる構造において、共通電極８を所定の電圧に保持した状態で、前述のような操作を行い画素電極７に所望のデータ信号（電圧）を供給すると、共通電極と画素電極との間に発生する電圧差（電界）に応じて電気泳動粒子１２が泳動し、その空間分布状態が変化する。このような原理から、各画素に供給するデータ信号（電圧）を適当に制御することにより、所望の画像を得ることが出来るのである。
【００１５】
ここで、電気泳動粒子の分布状態に変化を生じさせるためには、一般に最低でも１０Ｖ程度の電圧差が必要である。さらに、粒子に対して引力と斥力との両方を作用させ得るようにするためには、正負両極性の電圧を印加できるような構成とする必要がある。すなわち、例えば共通電極の電位を０Ｖとした場合には、画素電極には＋１０Ｖと−１０Ｖの電圧を供給する必要があり、スイッチング素子へ要求される耐圧は最低でも２０Ｖとなる。
【００１６】
しかし、アクティブマトリックス装置のスイッチング素子として一般に使用される薄膜トランジスタ（以下、ＴＦＴ）は、それに印加される電圧の上昇に伴って劣化速度が大きくなることが知られており、特に２０Ｖ以上の電圧に対しては、信頼性の確保が著しく困難になることが知られている。
【００１７】
上記のごとき問題点を解決するための手段として、表示内容を変更する際に、それまで表示していた内容を表示領域全体に渡って消去し、その後、新しい表示内容を書きこむ方法が提案されている。（特許文献４参照）具体的に例を挙げて説明すると、例えば画素電極を全て同じ電圧（例えば０Ｖ）にした上で、共通電極に１０Ｖを印加して、それまで表示していた内容を表示領域全体に渡って消去し、続いて、新しい表示内容の書き込みを行う時には、共通電極を０Ｖとして、書き込みたい画素（粒子を泳動させたい画素）の画素電極だけに１０Ｖを印加する。このように、表示領域全体に渡って消去する時と、新しい内容を書き込む時とで共通電極に異なる電圧を印加することにより、スイッチング素子にかかる電圧の低減を図ることが出来るのである。
【００１８】
【特許文献１】特公昭５０−１５１１５号公報
【特許文献２】特開平１−８６１１６号公報
【特許文献３】特開２０００−３５７７５号公報
【特許文献４】特開２００２−１４９１１５
【発明の開示】
【発明が解決しようとする課題】
【００１９】
しかしながら、上述した従来技術においては、以下のような問題があった。
【００２０】
それまで表示していた内容を表示領域全体に渡って消去する際、つまり全ての画素電極に同一の電圧を供給する際には、前述の点順次制御の場合は、全画素電極に対して１つずつ順次に電圧を供給していくことになる。また、線順次制御の場合にも、シフトレジスタを経て全てのデータ信号線に対して同一のデータ信号を送り、これらが揃った時点で一本の走査信号線を選択する、という手順を走査信号線の本数分繰り返す必要がある。
【００２１】
すなわち、従来技術においては、表示領域全体に渡って消去する際にも、新しい画像を書き込む時と同様に、シフトレジスタ等の各回路を動作させる必要があったため、このことにより消去に時間がかかり、また消費電力が増加するという問題が生じていた。
【００２２】
そこで、本発明は、スイッチング素子として使用するＴＦＴの信頼性を確保しつつ、消去の際の時間と消費電流を削減した表示装置、表示装置の駆動方法、および電子機器を提供することを目的とする。
【課題を解決するための手段】
【００２３】
上記のごとき従来技術の問題点を解決するために、本発明の表示装置は、全表示領域を同時に消去できるような構成を有することを特徴とする。
【００２４】
具体的には、本発明の表示装置においては、走査信号処理回路は、全ての走査信号線を同時に選択する機能を有し、一方、データ信号処理回路は、複数のデータ信号線の個々のデータ信号線に該個々のデータ信号線固有のデータ信号を供給する機能と、全てのデータ信号線に同時に同一のデータ信号を供給する機能とを有する事を特徴とする。
【００２５】
上記のような構成としたため、全表示領域を同時に消去できるようになり、消去時間を格段に短縮することが出来るという効果を有する。
【００２６】
また、本発明の表示装置においては、表示材料として、液相分散媒と電気泳動粒子とを含む電気泳動分散液を使用することが出来る。
【００２７】
上記のような構成としたため、低コスト、薄型、広視野角、高コントラストかつ表示メモリ性を有する表示装置を提供することが出来る。
【００２８】
さらに、該電気泳動分散液がマイクロカプセルに充填されている構成としても良い。電気泳動分散液をマイクロカプセルに充填することにより、表示装置の製造工程において分散液の流出を防止することが出来るとともに、電気泳動粒子の沈降や凝集を減少させることが出来る。
【００２９】
また、本発明の表示装置においては、走査信号処理回路は、複数の走査信号線から特定の走査信号線を選択する走査線選択回路と、少なくとも１本の走査線制御信号線とを有し、該走査線制御信号線に所定の信号を入力することにより走査線選択回路からの信号に関わりなく全ての走査信号線を同時に選択する機能を有する事を特徴とする。
【００３０】
さらに、本発明の表示装置においては、データ信号処理回路は、個々のデータ信号線に個々のデータ信号線固有のデータ信号を供給するデータ線選択回路と、少なくとも１本のデータ線制御信号線とを有し、該データ線制御信号線に所定の信号を入力することにより、データ線選択回路からの信号に関わりなく全てのデータ信号線に同時に同一のデータ信号を供給する機能を有する事を特徴とする。
【００３１】
上記のような構成としたため、全面消去の際には走査線選択回路およびデータ線選択回路を停止し、走査線制御信号線およびデータ線制御信号線のみを操作すれば良く、その結果、消費電力を格段に削減出来るという効果を有する。
【００３２】
また、本発明の表示装置の駆動方法においては、液相分散媒と電気泳動粒子とを含む電気泳動分散液と、複数のデータ信号線と、該データ信号線に対して交差する複数の走査信号線と、該複数のデータ信号線にデータ信号を供給するデータ信号処理回路と、該複数の走査信号線に走査信号を供給する走査信号処理回路とを含み、前記データ信号と前記走査信号とを制御することにより前記電気泳動分散液の光学特性を変化させる表示装置の駆動方法において、
該走査信号処理回路は、該複数の走査信号線から特定の走査線を選択する特定選択機能と、全ての走査線を同時に選択する全般選択機能とを有し、
該データ信号処理回路は、該複数のデータ信号線の個々の線に該個々の線固有のデータ信号を供給する特定データ信号送信機能と、全てのデータ信号線に同時に同一のデータ信号を供給する全般データ信号送信機能とを有し、
該表示装置の画像を書き換える際に、前記全般データ信号送信機能を動作させて全データ線に同時に同一の消去データ信号を送信するとともに前記全般選択機能を動作させることにより、全画面にわたって旧画像を消去した後に、前記特定データ信号送信機能を動作させるとともに前記特定選択機能を動作させることにより、新規画像を書き込むようにした事を特徴とする。
【００３３】
さらに、本発明の電子機器は、上記のいずれかの表示装置を備えてなることを特徴とする。上記のような構成としたため、消去時の時間と消費電力とを格段に短縮した電子機器を提供できるという効果を有する。
【発明を実施するための最良の形態】
【００３４】
以下、本発明の実施形態を図面に基づいて説明する。
【実施例１】
【００３５】
図１は、本発明に係る表示装置の第１の実施例を示す図であり、表示装置の平面図を同図（ａ）に、各信号線のタイミングチャートを同図（ｂ）にそれぞれ示している。
【００３６】
同図（ａ）に示すように、本発明に係る表示装置２０は、電気的刺激に対応して光学特性が変化する表示材料（図示していない）と、複数のデータ信号線２と、該データ信号線に対して交差する複数の走査信号線３と、該複数のデータ信号線にデータ信号を供給するデータ信号処理回路４と、該複数の走査信号線に走査信号を供給する走査信号処理回路５とを含む。そして、データ信号と走査信号とを前述のように適当に制御して、所望の画素電極７に対して所望の信号（電圧）を供給することにより、表示材料の光学特性を変化させ、所望の画像を得るように構成されている。
【００３７】
ここで、走査信号処理回路５は全ての走査信号線を同時に選択する機能を有し、また、データ信号処理回路４は、個々のデータ信号線に該個々のデータ信号線固有のデータ信号を供給する機能に加えて、全てのデータ信号線に同時に同一のデータ信号を供給する機能をも有する。  
本表示装置２０において、画面を書きかえる際には、前述にように一旦画面全領域を消去した後に、新しい画像を書き込むという手順を取る。この、全領域消去を行う時のデータ信号線および走査信号線の波形を図１（ｂ）に示している。
【００３８】
同図（ｂ）に示すように、全領域消去を行う際には、データ信号処理回路４は、前述の機能を作動させて全てのデータ信号線に同時に同一のデータ信号を供給し、一方、走査信号処理回路５は、前述の機能を作動させて全ての走査信号線を同時に選択する。これにより、全ての画素電極に対して同時に同一の信号（電圧）が供給される。この時、共通電極に対して適宜電圧を供給することによって、画面全領域を同時に消去することが出来るのである。
【実施例２】
【００３９】
図２は、本発明に係る表示装置の第２の実施例における、画素部の構成を示す断面図である。
【００４０】
本表示装置は、第一の基板３０と、該第一の基板上に形成された共通電極８と、第二の基板３１と、該第二の基板の共通電極側に配置された画素電極７と、該画素電極に供給する信号をＯＮ／ＯＦＦするスイッチング素子６と、を含み、画素電極７と共通電極８とは、図示されていないスペーサや隔壁等の部材により、所定の間隔を隔てて対向配置されている。さらに、画素電極７と共通電極８とで挟まれた空間に、液相分散媒１１と電気泳動粒子１２とを含む電気泳動分散液１０が充填されている。ここで、同図においては、データ信号線および走査信号線は省略されている。
【００４１】
以下、本表示装置の動作について説明する。なお、以下の説明においては電気泳動粒子１２は、正極性に帯電しているものと仮定しているが、負極性に帯電していても、電圧の印加方向を逆にすれば良いだけで、同様な原理で説明できる。
【００４２】
まず、全面消去過程において、データ信号処理回路４（図示していない）は、前述した全てのデータ信号線に同時に同一のデータ信号を供給する機能を作動させて、全てのデータ線に０Ｖを供給する。一方、走査信号処理回路５（図示していない）は、前述した全ての走査信号線を同時に選択する機能を作動させる。これにより、全ての画素電極に対して０Ｖが供給される。この時、共通電極８に正極性の電圧（例えば＋１０Ｖ）を印加すると、共通電極から画素電極に向かって電界が生じ、正極性に帯電している電気泳動粒子はこの電界に沿って画素電極に向かって泳動する。したがって、表示領域全体に渡って、電気泳動粒子は、画素電極側に移動する（全面消去する）ことになる。
【００４３】
続いて、共通電極８の電圧を０Ｖとし、前述の通常のアクティブマトリクス動作、すなわち点順次制御あるいは線順次制御により、画像を書き込みたい（粒子を動かしたい）画素電極に対して正極性の電圧（例えば＋１０Ｖ）を、画像を書き込みたくない（粒子を動かしたくない）画素電極に対して０Ｖを、順次供給して行く。この時、正極性の電圧が供給された画素電極においては、画素電極から共通電極に向かって電界が生じ、正極性に帯電している電気泳動粒子はこの電界に沿って共通電極に向かって泳動する。一方、０Ｖが供給された画素電極においては、電圧差（電界）が生じないため、電気泳動粒子は泳動しない。このようにして、所望の画素だけで粒子を移動させることにより、画像が書き込まれることになる。
【００４４】
ここで、液相分散媒１１としては、特に限定はされないが、例えば、水、メタノール、エタノール、イソプロパノール、ブタノール、オクタノール、メチルセルソルブ等のアルコール系溶媒、酢酸エチル、酢酸ブチル等の各種エステル類、アセトン、メチルエチルケトン、メチルイソブチルケトン等のケトン類、ぺンタン、ヘキサン、オクタン等の脂肪族炭化水素、シクロへキサン、メチルシクロへキサン等の脂環式炭化水素、ベンゼン、トルエン、キシレン、ヘキシルベンゼン、ヘブチルベンゼン、オクチルベンゼン、ノニルベンゼン、デシルベンゼン、ウンデシルベンゼン、ドデシルベンゼン、トリデシルベンゼン、テトラデシルベンゼン等の長鎖アルキル基を有するベンゼン類等の芳香族炭化水素、塩化メチレン、クロロホルム、四塩化炭素、１，２−ジクロロエタン等のハロゲン化炭化水素、カルボン酸塩又はその他の種々の油類等の単独、またはこれらの混合物に界面活性剤等を配合したものを用いることができる。
【００４５】
さらに、液相分散媒１１は、実質的に透明でも良いし、あるいは不透明でも良い。また、必要に応じて適宜所望の色に着色しても良い。液相分散媒１１を着色するための着色剤としては、特に限定はされないが、例えば、アントラキノン系、アゾ系、ジアゾ系、アミン系、ジアミン系等の化合物染料、コチミール色素、カルミン酸色素等の天然色素、アゾ系、ポリアゾ系、アントラキノン系、キナクリドン系、イソインドリン系、イソインドリノン系、フタロシアニン系、ペリレン系等の有機顔料、カーボンブラック、シリカ、酸化クロム、酸化鉄、酸化チタン、硫化亜鉛等の無機顔料等の単独、またはこれらの混合物を用いることができる。
【００４６】
また、電気泳動粒子１２は、分散媒中で電位差により電気泳動する性質を有する有機あるいは無機の粒子、またはそれらの複合粒子である。この電気泳動粒子１２としては、特に限定はされないが、例えば、アニリンブラック、カーボンブラック等の黒色顔料、二酸化チタン、亜鉛華、三酸化アンチモン等の白色顔料、モノアゾ、ジイスアゾン、ポリアゾ等のアゾ系顔料、イソインドリノン、黄鉛、黄色酸化鉄、カドミウムイエロー、チタンイエロー、アンチモン等の黄色顔料、モノアゾ、ジスアゾ、ポリアゾ等のアゾ系顔料、キナクリドンレッド、クロムバーミリオン等の赤色顔料、フタロシアニンブルー、インダスレンブルー、アントラキノン系染料、紺青、群青、コバルトブルー等の青色顔料、フタロシアニングリーン等の緑色顔料等の１種又は２種以上を用いることができる。
【００４７】
さらに、これらの顔料には、必要に応じ、電解質、アニオン系、カチオン系、ノニオン系の各種界面活性剤、金属石鹸、樹脂、ゴム、油、ワニス、コンパウンド等の粒子からなる荷電制御剤、チタン系カップリング剤、アルミニウム系カップリング剤、シラン系カップリング剤等のカップリング剤、ポリエチレンオキシド、ポリスチレン、アクリル等高分子の単体あるいは複数のブロック重合体からなる各種高分子分散剤、潤滑剤、安定化剤等を添加することができる。
【実施例３】
【００４８】
図３は、本発明に係る表示装置の第３の実施例における、画素部の構成を示す断面図である。
【００４９】
本実施例においては、同図に示すように、電気泳動粒子が２種類の粒子１２ａおよび１２ｂを含む。他の構成要素に関しては、前記実施例２と同様である。
【００５０】
以下、本実施例に係る表示装置の動作について説明するが、以下の説明においては、仮に電気泳動粒子１２ａは白色で正極性に帯電し、電気泳動粒子１２ｂは黒色で負極性に帯電しているものと仮定しているが、これら粒子の色や帯電極性は特に限定されるものではなく、例えば帯電極性が逆になった場合でも、電圧の印加方向を逆にすれば良いだけで、同様な原理で説明できる。
【００５１】
まず、全面消去過程において、データ信号処理回路は、前述した全てのデータ信号線に同時に同一のデータ信号を供給する機能を作動させて、全てのデータ線に０Ｖを供給する。一方、走査信号処理回路５は、前述した全ての走査信号線を同時に選択する機能を作動させる。これにより、全てに画素電極に対して０Ｖが供給される。この時、共通電極８に正極性の電圧（例えば＋１０Ｖ）を印加すると、共通電極から画素電極に向かって電界が生じ、正極性に帯電している電気泳動粒子１２ａはこの電界に沿って画素電極に向かって泳動し、負極性に帯電している電気泳動粒子１２ｂは共通電極に向かって泳動する。したがって、表示領域全体に渡って、電気泳動粒子１２ａは画素電極側に、電気泳動粒子１２ｂは共通電極側に移動することになる。この時、共通電極側から観察した場合、表示領域全体が電気泳動粒子１２ｂの色、すなわち黒く見える。逆に、画素電極側から観察した場合、表示領域全体が電気泳動粒子１２ａの色、白く見える。
【００５２】
続いて、共通電極８の電圧を０Ｖとし、前述の通常のアクティブマトリクス動作、すなわち点順次制御あるいは線順次制御により、画像を書き込みたい（粒子を動かしたい）画素電極に対して正極性の電圧（例えば＋１０Ｖ）を、画像を書き込みたくない（粒子を動かしたくない）画素電極に対して０Ｖを、順次供給して行く。この時、正極性の電圧が供給された画素電極においては、画素電極から共通電極に向かって電界が生じ、正極性に帯電している電気泳動粒子１２ａはこの電界に沿って共通電極に向かって泳動し、負極性に帯電している電気泳動粒子１２ｂは画素電極に向かって泳動する。一方、０Ｖが供給された画素電極においては、電圧差（電界）が生じないため、電気泳動粒子１２ａ、１２ｂはどちらも泳動しない。この時、共通電極側から観察した場合、黒い背景に白い画像が見え、逆に、画素電極側から観察した場合、白い背景に黒い画像が見える。
【００５３】
このようにして、所望の画素だけで粒子を移動させることにより、画像が書き込まれることになる。
【００５４】
また、前記の画像書き込みの際に画素電極へ印加する信号（電圧）の大きさや印加時間幅を適宜調節し、粒子の分布状態を制御することにより、電気泳動粒子１２ａと１２ｂの混合色、すなわち中間色を表示することも可能である。
【００５５】
本実施例における液相分散媒１１および電気泳動粒子１２としては、実施例２で記載したものと同様な材料を用いることが出来る。
【００５６】
また、本実施例における液相分散媒１１についても、実質的に透明でも良いし、あるいは不透明でも良い。また、必要に応じて適宜所望の色に着色しても良い。
【００５７】
上記の説明では、電気泳動粒子が２種類の粒子からなる場合を例示したが、３種類以上の粒子からなる構成としても良く、その場合、画素電極に供給する信号（電圧）を調節し該３種類以上の粒子の相互分布状態を制御することにより、多色表示が可能となる。
【実施例４】
【００５８】
図４は、本発明に係る表示装置の第４の実施例における、画素部の構成を示す断面図である。
【００５９】
本実施例においては、同図に示すように、電気泳動分散液１０がマイクロカプセル２１に封入されて、画素電極７と共通電極８との間に配置されている。他の構成要素に関しては、前記実施例２と同様である。
【００６０】
電気泳動分散液１０に含まれる電気泳動粒子１２は、前記実施例１のように１種類でも良いし、実施例２のように２種類以上の粒子からなる構成でも良い。
【００６１】
このように、電気泳動分散液をマイクロカプセルに封入することにより、表示装置の製造工程において分散液の流出を防止することが出来るとともに、電気泳動粒子の沈降や凝集を減少させることが出来る。さらに、画素電極と共通電極とを所定の間隔を隔てて対向配置させるためのスペーサや隔壁等の部材が不要となり、コストの削減効果と共に、可撓性を有する基板間への電気泳動分散液の配置が可能となり、電子ペーパーへの応用が期待できる。
【００６２】
このマイクロカプセル２１の壁膜材料としては、例えば、ゼラチン、ポリウレタン樹脂、ポリユリア樹脂、尿素樹脂、メラミン樹脂、アクリル樹脂、ポリエステル樹脂、ポリアミド樹脂等の各種樹脂材料等が挙げられ、これらのうちの１種または２種以上を組み合わせて用いることができる。
【００６３】
また、マイクロカプセル２１の作製手法としては、例えば、界面重合法、ｉｎ−ｓｉｔｕ重合法、相分離法、界面沈殿法、スプレードライング法等の各種マイクロカプセル化手法を用いることができる。
【００６４】
本発明に係る表示装置に用いるマイクロカプセルは、その大きさがほぼ均一であることが好ましい。これにより、表示装置２０は、より優れた表示機能を発揮することができる。マイクロカプセル２１の大きさの均一化は、例えば、濾過、篩い分け、比重差分級等を用いて行うことができる。
【００６５】
また、マイクロカプセル２１の大きさ（平均粒径）は、特に限定されないが、１０〜１５０μｍ程度であるのが好ましく、３０〜１００μｍ程度であるのがより好ましい。
【００６６】
さらに、本実施形態におけるマイクロカプセルは、画素電極と共通電極との間に両電極と接するように配置され、画素電極と共通電極との少なくとも一方の電極に沿って扁平な形状に形成されていることが望ましい。これにより、表示装置２０は、より優れた表示機能を発揮することができる。
【００６７】
また、本実施形態に係る表示装置では、画素電極７と共通電極８との間隙であって、マイクロカプセル２１の周辺部に、バインダ材が供給されてなる構成としても良い。すなわち、本実施形態では、バインダ材も構成要件とすることもできる。このようにバインダ材を供給することにより、各マイクロカプセルがより強固に固定され、かつ、マイクロカプセルを機械的衝撃から保護することが出来るばかりでなく、マイクロカプセルと画素電極および共通電極との接着力を向上させることが出来る。
【００６８】
このバインダ材としては、マイクロカプセル２１の壁膜材料と親和性および密着性に優れ、かつ、絶縁性を有するものであれば、特に限定されるものではないが、例えば、ポリエチレン、塩素化ポリエチレン、エチレン−酢酸ビニル共重合体、エチレン−アクリル酸エチル共重合体、ポリプロピレン、ＡＢＳ樹脂、メタクリル酸メチル樹脂、塩化ビニル樹脂、塩化ビニル−酢酸ビニル共重合体、塩化ビニル−塩化ビニリデン共重合体、塩化ビニルアクリル酸エステル共重合体、塩化ビニル−メタクリル酸共重合体、塩化ビニル−アクリロニトリル共重合体、エチレン−ビニルアルコール−塩化ビニル共重合体、プロピレン−塩化ビニル共重合体、塩化ビニリデン樹脂、酢酸ビニル樹脂、ポリビニルアルコール、ポリビニルホルマール、セルロース系樹脂等の熱可塑性樹脂、ポリアミド系樹脂、ポリアセタール、ポリカーボネート、ポリエチレンテレフタレート、ポリブチレンテレフタレート、ポリフェニレンオキサイド、ポリスルホン、ポリアミドイミド、ポリアミノビスマレイミド、ポリエーテルスルホン、ポリフェニレンスルホン、ポリアリレート、グラフト化ポリフィニレンエーテル、ポリエーテルエーテルケトン、ポリエーテルイミド等の高分子、ポリ四フッ化エチレン、ポリフッ化エチレンプロピレン、四フッ化エチレン−パーフロロアルコキシエチレン共重合体、エチレン−四フッ化エチレン共重合体、ポリフッ化ビニリデン、ポリ三フッ化塩化エチレン、フッ素ゴム等のフッ素系樹脂、シリコーン樹脂、シリコーンゴム等の珪素樹脂、その他として、メタクリル酸−スチレン共重合体、ポリブチレン、メタクリル酸メチル−ブタジエン−スチレン共重合体等の各種樹脂材料が挙げられ、これらのうちの１種または２種以上を組み合わせて用いることができる。
【００６９】
また、バインダ材の誘電率と前記液相分散媒６の誘電率とは、ほぼ等しいのが好ましい。このため、バインダ材４２中には、例えば、１，２−ブタンジオール、１，４−ブタンジオールのようなアルコール類、ケトン類、カルボン酸塩等の誘電率調節剤を添加するのが好ましい。
【００７０】
マイクロカプセルとバインダ材との複合膜は、例えば、バインダ材中に、マイクロカプセルと、必要に応じて前記誘電率調節剤とを混合し、得られた樹脂組成物（エマルジョンあるいは有機溶媒溶液）を、画素電極あるいは透明電極上に、例えば、ロールコーター法、ロールラミネータ法、スクリーン印刷法、スプレー法、インクジェット法等の各種塗布法を用いて供給することにより得ることができる。
【実施例５】
【００７１】
図５（ａ）は、本発明に係る表示装置の第５の実施例における、画素部の構成を示す断面図である。
【００７２】
本表示装置は、第一の基板３０と、該第一の基板に対向配置された第二の基板３１と、第二の基板に形成された共通電極８および画素電極７と、該画素電極に供給する信号をＯＮ／ＯＦＦするスイッチング素子６と、を含む。さらに、第一の基板３０と第二の基板３１とで挟まれた空間に、液相分散媒１１と電気泳動粒子１２とを含む電気泳動分散液１０が充填されている。ここで、同図においては、データ信号線および走査信号線は省略されている。
【００７３】
本実施例の表示装置においては、電気泳動粒子１２は共通電極８と画素電極７との間に印加される電界に応じて、基板に対して水平方向に移動することになる。したがって、粒子が共通電極上に堆積した時と画素電極上堆積した時との面内分布の相違を利用して画像を表示するものである。
【００７４】
以下、本表示装置の動作について説明する。なお、以下の説明においては、電気泳動粒子１２は正極性に帯電しているものと仮定しているが、負極性に帯電していても、電圧の印加方向を逆にすれば良いだけで、同様な原理で説明できる。また、粒子が画素電極側に移動させることを仮に“消去”、共通電極側に移動させることを“書き込み”、と称しているが、これも便宜的なものであり、逆にしても何ら問題は無い。
【００７５】
まず、全面消去過程において、データ信号処理回路４（図示していない）は、前述した全てのデータ信号線に同時に同一のデータ信号を供給する機能を作動させて、全てのデータ線に０Ｖを供給する。一方、走査信号処理回路５（図示していない）は、前述した全ての走査信号線を同時に選択する機能を作動させる。これにより、全ての画素電極７に対して０Ｖが供給される。この時、共通電極８に正極性の電圧（例えば＋１０Ｖ）を印加すると、共通電極から画素電極に向かって水平方向の電界が生じ、正極性に帯電している電気泳動粒子はこの電界に沿って画素電極に向かって泳動する。したがって、表示領域全体に渡って、電気泳動粒子は、画素電極側に移動する（前面消去する）ことになる。
【００７６】
続いて、共通電極８の電圧を０Ｖとし、前述の通常のアクティブマトリクス動作、すなわち点順次制御あるいは線順次制御により、画像を書き込みたい（粒子を動かしたい）画素電極に対して正極性の電圧（例えば＋１０Ｖ）を、画像を書き込みたくない（粒子を動かしたくない）画素電極に対して０Ｖを、順次供給して行く。この時、正極性の電圧が供給された画素電極においては、画素電極から共通電極に向かって電界が生じ、正極性に帯電している電気泳動粒子はこの電界に沿って共通電極に向かって泳動する。一方、０Ｖが供給された画素電極においては、電圧差（電界）が生じないため、電気泳動粒子は泳動しない。このようにして、所望の画素だけで粒子を移動させることにより、画像が書き込まれることになる。
【００７７】
また、前記の画像書き込みの際に画素電極へ印加する信号（電圧）の大きさや印加時間幅を適宜調節し、粒子の面内分布状態を制御することにより、電気泳動粒子１２ａと１２ｂの混合色、すなわち中間色を表示することも可能である。
【００７８】
本実施例における液相分散媒１１および電気泳動粒子１２としては、実施例２で記載したものと同様な材料を用いることが出来る。
【００７９】
図５（ａ）において、共通電極８を画素電極７よりも大きく図示しているが、これは便宜的なものであり、所望とする画像特性に応じて適宜決めて良く、画素電極７が共通電極８よも大きくしても、あるいは両電極が同じ大きさとしても何ら問題は無い。
【００８０】
さらに、共通電極８を画素電極７とは同一面上に配置される必要は無く、例えば図５（ｂ）のように、共通電極８に対して画素電極７がオーバーラップしているような構成としても良い。
【実施例６】
【００８１】
図６は、本発明に係る表示装置の第６の実施例を示す図である。
【００８２】
同図に示すように、本実施形態に係る表示装置において、走査信号処理回路５は、走査線選択回路４０と、少なくとも１本の走査線制御信号線４２と、走査線制御回路４１とを含む構成となっている。
【００８３】
ここで、該走査線選択回路４０は、複数の走査信号線３から特定の走査信号線を選択する機能を有する。また、走査線制御回路４１は、走査線制御信号線４２に所定の信号を入力することにより走査線選択回路４０からの信号に関わりなく全ての走査信号線を同時に選択する機能を有する。
【００８４】
本実施形態に係る表示装置においては、かかる構成を有するため、図６（ｂ）に示すように、全面消去の際には、走査線制御信号線４２に所定の信号（図では仮にＨｉ信号）を入力することにより走査線選択回路４０からの信号に関わりなく全ての走査信号線を同時に選択することが出来る。これにより、全てのスイッチング素子がＯＮすることとなり、表示領域全体に渡って同時に画面を消去することが出来るのである。
【００８５】
さらに、上述のように全ての走査信号線を同時に選択する動作は、走査線選択回路４０からの信号に関わりなくなされるので、全面消去動作の間は走査線選択回路４０の動作を停止させることが出来、これにより消費電力の低減が可能となる。
【００８６】
次に、新しい画像の書き込みの際には、走査線制御信号線４２に所定の信号を入力することなく、したがって、走査線選択回路４０から特定の走査信号線を選択することによって、該特定の走査信号線に接続されたスイッチング素子だけをＯＮすることが出来る。
【実施例７】
【００８７】
図７は、本発明に係る表示装置の第７の実施例を示す図である。
【００８８】
同図に示すように、本実施形態に係る表示装置において、走査信号処理回路５は、走査線選択回路４０と、走査パルス入力５２ａと、走査線制御信号線４２と、走査線制御回路４１とを含む構成となっている。さらに、走査線選択回路４０は走査パルス入力５２ａを入力とするクロックドインバータ方式のシフトレジスタにより構成されており、走査パルス入力５２ａから入力されたパルス信号はクロックΦ１およびΦ１＊（Φ１およびΦ１＊はお互いに逆相）に同期して順次送られて行く。送られたパルス信号は、複数の走査信号線から特定の走査信号線を選択するための走査線選択信号５３となる。
【００８９】
走査線制御回路４１は、走査線制御信号線４２を一方の入力、前記走査線選択信号５３を他方の入力、走査信号線を出力に持つ複数の論理和回路で構成されている。
【００９０】
全面消去の際には、走査線制御信号線４２に論理Ｈｉを入力することにより走査線選択回路４０からの走査線選択信号５３に関わりなく全ての走査信号線を同時に論理Ｈｉにする。これにより、全てのスイッチング素子がＯＮすることとなり、表示領域全体に渡って同時に画面を消去することが出来る。
【００９１】
一方、新しい画像の書き込みの際には、走査線制御信号線４２には論理Ｌｏを入力する。すると、走査線選択信号５３はそのまま走査信号線３に供給されるため、特定の走査信号線を選択すること出来る。
【実施例８】
【００９２】
図８は、本発明に係る表示装置の第８の実施例を示す図である。
【００９３】
同図に示すように、本実施形態に係る表示装置において、データ信号処理回路４は、データ線選択回路６０と、少なくとも１本のデータ線制御信号線６２と、データ線制御回路６１とを含む構成となっている。
【００９４】
ここで、該データ線選択回路６０は、個々のデータ信号線に該個々のデータ信号線固有のデータ信号を供給する機能を有する。また、データ線制御回路６１は、データ線制御信号線６２に所定の信号を入力することによりデータ線選択回路６０からのデータ信号に関わりなく全てのデータ信号線２に対して同一のデータ信号を供給する機能を有する。
【００９５】
本実施形態に係る表示装置においては、かかる構成を有するため、図８（ｂ）に示すように、全面消去の際には、データ線制御信号線６２に所定の信号（図では仮にＨｉ信号）を入力することによりデータ線選択回路６０からのデータ信号に関わりなく全てのデータ信号線に対して同一のデータ信号を供給する。これにより、全ての画素電極に同一の信号（電圧）を供給することとなり、表示領域全体に渡って同時に画面を消去することが出来るのである。
【００９６】
さらに、上述のように全てのデータ信号線に対して同時に同一の信号（電圧）を供給する動作は、データ線選択回路６０からの信号に関わりなくなされるので、全面消去動作の間はデータ線選択回路６０の動作を停止させることが出来、これにより消費電力の低減が可能となる。
【００９７】
さらに、新しい画像の書き込みの際には、データ線制御信号線６２に所定の信号を入力することなく、したがって、データ線選択回路６０からは個々のデータ信号線に該個々のデータ信号線固有のデータ信号を供給することによって、個々のデータ信号線に接続された画素電極に個々の信号（電圧）を供給することが出来る。
【００９８】
なお、図８（ｂ）においては、データ信号をＨｉとＬｏとの２値しか持たない２値信号をして例示しているが、この限りではなく、多値信号、あるいはアナログ信号であってもよい。
【実施例９】
【００９９】
図９は、本発明に係る表示装置の第９の実施例を示す図である。
【０１００】
同図に示すように、本実施形態に係る表示装置において、データ信号処理回路４は、データ線選択回路６０と、データ線選択パルス入力５２ｂと、データ入力６３と、共通データ入力６５と、データ線制御信号線６２と、データ線制御回路６１とを含む構成となっている。さらに、データ線選択回路６０は、データ線選択パルス入力５２ｂを入力とするクロックドインバータ方式のシフトレジスタを含み、データ線選択パルス入力５２ｂから入力されたパルス信号はクロックΦ２およびΦ２＊（Φ２およびΦ２＊はお互いに逆相）に同期して順次送られて行く。送られたパルス信号は、複数のデータ信号線から特定のデータ信号線を選択するためのデータ線選択信号６７となる。
【０１０１】
さらに、データ線選択回路６０は、データ線選択信号６７をゲート信号、データ入力６３を入力とする複数のアナログスイッチ６４と、該アナログスイッチの出力を入力とするラッチ６８とを含む。あるタイミングでデータ線選択信号６７によりいずれかのデータ信号線を選択すると、選択されたデータ信号線に対応するアナログスイッチ６４がＯＮするため、そのタイミングでデータ入力６３に供給されている信号（電圧）はアナログスイッチ６４を経てラッチ６８へ送られ、保持される。すなわち、個々のデータ信号線固有のデータ信号を、そのデータ信号線が選択されている時にデータ入力６３に供給すれば、目的のデータ信号線だけに該固有のデータ信号を供給することが出来る。この動作を、全てのデータ信号線を順々に選択しながら繰り返すことにより、全てのデータ信号線に対してそれぞれ固有のデータ信号を供給することが出来る。
【０１０２】
データ線制御回路６１は、ラッチ６８の出力６９を入力、データ線制御信号６２の反転信号をゲート信号に持つアナログスイッチ６６ａと、共通データ入力６５を入力、データ線制御信号６２をゲート信号に持つアナログスイッチ６６ｂとの複数の対により構成されている。互いに対をなすアナログスイッチ６６ａとアナログスイッチ６６ｂとの出力同士は接続されると共に、対応するデータ信号線へ接続される。このアナログスイッチ６６ａとアナログスイッチ６６ｂとの対は、ラッチ６８の出力６９を一方の入力、共通データ入力６５を他方の入力、データ信号線２を出力とし、データ線制御信号６２によりいずれかの入力を選択して出力するような信号セレクタ回路として機能する。
【０１０３】
全面消去の際には、データ線制御信号線６２に論理Ｈｉを入力すると同時に、全ての画素電極に供給すべき信号（電圧）を共通データ入力６５に入力する。この時、アナログスイッチ６６ｂがＯＮする一方、アナログスイッチ６６ａはＯＦＦであるので、ラッチ６８の出力信号６９に関わりなく全てのデータ信号線には共通データ入力６５に入力した信号（電圧）が供給される。この時、前記実施例６あるいは実施例７のような手法により、全てのスイッチング素子をＯＮすれば、全ての画素電極に対して同時に同一の信号（電圧）が供給されることとなり、表示領域全体に渡って同時に画面を消去することが出来る。
【０１０４】
一方、新しい画像の書き込みの際には、データ線制御信号線６２には論理Ｌｏを入力する。すると、アナログスイッチ６６ｂがＯＦＦし、アナログスイッチ６６ａがＯＮするので、ラッチ６８の出力６９はそのままデータ信号線２に供給されるため、データ信号線に対してそれぞれ固有のデータ信号を供給することが出来る。
【実施例１０】
【０１０５】
以下、本発明に係る電子機器の実施例について説明する。
【０１０６】
＜＜携帯電話＞＞
まず、本発明の電子機器を携帯電話に適用した場合の実施形態について説明する。
【０１０７】
図１０は、本発明の電子機器を携帯電話に適用した場合の実施形態を示す斜視図である。図１０に示す携帯電話３００は、複数の操作ボタン３０１と、受話口３０２と、送話口３０３と、表示パネル３０４とを備えている。
【０１０８】
このような携帯電話３００では、表示パネル３０４が、前述したような表示装置２０で構成されている。
【０１０９】
＜＜ディジタルスチルカメラ＞＞
次に、本発明の電子機器をディジタルスチルカメラに適用した場合の実施形態について説明する。
【０１１０】
図１１は、本発明の電子機器をディジタルスチルカメラに適用した場合の実施形態を示す斜視図である。なお、図１１中、紙面奥側を「前面」と、紙面手前側を「背面」と言う。また、図１１には、外部機器との接続状態も簡易的に示す。
【０１１１】
図１１に示すディジタルスチルカメラ４００は、ケース４０１と、ケース４０１の背面に形成された表示パネル４０２と、ケース４０１の観察側（図１１中、紙面手前側）に形成された受光ユニット４０３と、シャッタボタン４０４と、回路基板４０５とを備えている。
【０１１２】
受光ユニット４０３は、例えば、光学レンズ、ＣＣＤ（Ｃｈａｒｇｅ  Ｃｏｕｐｌｅｄ
Ｄｅｖｉｃｅ）等で構成されている。
【０１１３】
また、表示パネル４０２は、ＣＣＤによる撮像信号に基づいて、表示を行うようになっている。
【０１１４】
回路基板４０５には、シャッタボタン４０４を押した時点におけるＣＣＤの撮像信号が、転送・格納される。
【０１１５】
また、本実施形態のディジタルスチルカメラ４００では、ケース４０１の側面に、ビデオ信号出力端子４０６と、データ通信用の入出力端子４０７とが設けられている。
【０１１６】
このうち、ビデオ信号出力端子４０６には、例えばテレビモニタ４０６Ａが、入出力端子４０７には、例えばパーソナルコンピュータ４０７Ａが、それぞれ、必要に応じて接続される。
【０１１７】
このディジタルスチルカメラ４００は、所定の操作により、回路基板４０５のメモリに格納された撮像信号が、テレビモニタ４０６Ａ、パーソナルコンピュータ４０７Ａに出力されるようになっている。
【０１１８】
このようなディジタルスチルカメラ４００では、表示パネル４０２が、前述したような表示装置２０で構成されている。
【０１１９】
＜＜電子ブック＞＞
次に、本発明の電子機器を電子ブックに適用した場合の実施形態について説明する。
【０１２０】
図１２は、本発明の電子機器を電子ブックに適用した場合の実施形態を示す斜視図である。
【０１２１】
図１２に示す電子ブック５００は、ブック形状のフレーム５０１と、このフレーム５０１に対して、回動自在に設けられた（開閉可能な）カバー５０２とを備えている。
【０１２２】
フレーム５０１は、表示面を露出させた状態の表示装置５０３と、操作部５０４とが設けられている。
【０１２３】
このような電子ブック５００では、表示装置５０３が、前述したような表示装置２０で構成されている。
【０１２４】
＜＜電子ペーパー＞＞
次に、本発明の電子機器を電子ペーパーに適用した場合の実施形態について説明する。
【０１２５】
図１３は、本発明の電子機器を電子ペーパーに適用した場合の実施形態を示す斜視図である。
【０１２６】
図１３に示す電子ペーパー６００は、紙と同様の質感および柔軟性を有するリライタブルシートで構成される本体６０１と、表示ユニット６０２とを備えている。
【０１２７】
このような電子ペーパー６００では、表示ユニット６０２が、前述したような表示装置２０で構成されている。
【０１２８】
＜＜電子ノート＞＞
次に、本発明の電子機器を電子ノートに適用した場合の実施形態について説明する。
【０１２９】
図１４は、本発明の電子機器を電子ノートに適用した場合の実施形態を示す斜視図である。
【０１３０】
図１４に示す電子ノート７００は、カバー７０１と、電子ペーパー６００とを備えている。
【０１３１】
この電子ペーパー６００は、前述したような構成、すなわち、図１３に示す構成と同様のものであり、カバー７０１に挟持されるようにして、複数枚束ねられている。
【０１３２】
また、カバー７０１には、表示データを入力する入力手段が設けられており、これにより、電子ペーパー６００が束ねられた状態で、その表示内容を変更することができる。
【０１３３】
このような電子ノート７００では、電子ペーパー６００が、前述したような表示装置２０で構成されている。
【０１３４】
＜＜ディスプレイ＞＞
次に、本発明の電子機器をディスプレイに適用した場合の実施形態について説明する。
【０１３５】
図１５は、本発明の電子機器をディスプレイに適用した場合の実施形態を示す図である。このうち、図１５中（ａ）は断面図、（ｂ）は平面図である。
【０１３６】
図１５に示すディスプレイ（表示装置）８００は、本体部８０１と、この本体部８０１に対して着脱自在に設けられた電子ペーパー６００とを備えている。なお、この電子ペーパー６００は、前述したような構成、すなわち、図１３に示す構成と同様のものである。
【０１３７】
本体部８０１は、その側部（図１５中、右側）に電子ペーパー６００を挿入可能な挿入口８０５が形成され、また、内部に二組の搬送ローラ対８０２ａ、８０２ｂが設けられている。電子ペーパー６００を、挿入口８０５を介して本体部８０１内に挿入すると、電子ペーパー６００は、搬送ローラ対８０２ａ、８０２ｂにより挟持された状態で本体部８０１に設置される。
【０１３８】
また、本体部８０１の表示面側（図１５（ｂ）中、紙面手前側）には、矩形状の孔部８０３が形成され、この孔部８０３には、透明ガラス板８０４が嵌め込まれている。これにより、本体部８０１の外部から、本体部８０１に設置された状態の電子ペーパー６００を視認することができる。すなわち、このディスプレイ８００では、本体部８０１に設置された状態の電子ペーパー６００を、透明ガラス板８０４において視認させることで表示面を構成している。
【０１３９】
また、電子ペーパー６００の挿入方向先端部（図１５中、左側）には、端子部８０６が設けられており、本体部８０１の内部には、電子ペーパー６００を本体部８０１に設置した状態で端子部８０６が接続されるソケット８０７が設けられている。このソケット８０７には、コントローラー８０８と操作部８０９とが電気的に接続されている。
【０１４０】
このようなディスプレイ８００では、電子ペーパー６００は、本体部８０１に着脱自在に設置されており、本体部８０１から取り外した状態で携帯して使用することもできる。
【０１４１】
また、このようなディスプレイ８００では、電子ペーパー６００が、前述したような表示装置２０で構成されている。
【０１４２】
なお、本発明の電子機器は、以上のようなものへの適用に限定されず、例えば、テレビ、ビューファインダ型、モニタ直視型のビデオテープレコーダ、カーナビゲーション装置、ページャ、電子手帳、電卓、電子新聞、ワードプロセッサ、パーソナルコンピュータ、ワークステーション、テレビ電話、ＰＯＳ端末、タッチパネルを備えた機器等を挙げることができ、これらの各種電子機器の表示部に、本発明の表示装置２０を適用することが可能である。
【産業上の利用可能性】
【０１４３】
本発明に係る表示装置によれば、表示書き換えの際、特に全面消去時の時間と消費電力を格段に削減することが可能となる。
【図面の簡単な説明】
【０１４４】
【図１】本発明に係る表示装置の第１の実施例を示す図であり、図（ａ）は表示装置の平面図を、図（ｂ）は各信号線のタイミングチャートを示す図である。
【図２】本発明に係る表示装置の第２の実施例における、画素部の構成を示す断面図である。
【図３】本発明に係る表示装置の第３の実施例における、画素部の構成を示す断面図である。
【図４】本発明に係る表示装置の第４の実施例における、画素部の構成を示す断面図である。
【図５】本発明に係る表示装置の第５の実施例における、画素部の構成を示す断面図である。
【図６】本発明に係る表示装置の第６の実施例を示す図であり、図（ａ）は走査線処理回路の構成を、図（ｂ）は各信号線のタイミングチャートを示す図である。
【図７】本発明に係る表示装置の第７の実施例における、走査線処理回路の構成を示す回路図である。
【図８】本発明に係る表示装置の第８の実施例を示す図であり、図（ａ）はデータ線処理回路の構成を、図（ｂ）は各信号線のタイミングチャートを示す図である。
【図９】本発明に係る表示装置の第９の実施例における、データ線処理回路の構成を示す回路図である。
【図１０】本発明の電子機器を携帯電話に適用した場合の実施形態を示す斜視図である。
【図１１】本発明の電子機器をディジタルスチルカメラに適用した場合の実施形態を示す斜視図である。
【図１２】本発明の電子機器を電子ブックに適用した場合の実施形態を示す斜視図である。
【図１３】本発明の電子機器を電子ペーパーに適用した場合の実施形態を示す斜視図である。
【図１４】本発明の電子機器を電子ノートに適用した場合の実施形態を示す斜視図である。
【図１５】本発明の電子機器をディスプレイに適用した場合の実施形態を示す図である。
【図１６】従来の電気泳動表示装置の構成を示す図であり、図（ａ）は表示装置の平面図を、図（ｂ）は画素部の構成を示す断面図である。
【符号の説明】
【０１４５】
１      アクティブマトリクス装置
２      データ信号線
３      走査信号線
４      データ信号処理回路
５      走査信号処理回路
６      スイッチング素子
７      画素電極
８      共通電極
１０    電気泳動分散液
１１    液相分散媒
１２、１２ａ、１２ｂ    電気泳動粒子
２０    表示装置
２１    マイクロカプセル
３０    第１の基板
３１    第２の基板
３２    絶縁層
４０    走査線選択回路
４１    走査線制御回路
４２    走査線制御信号線
４３    シフトレジスタ
４４    シフトレジスタ以外の回路
４５    パルス入力
５２ａ  走査パルス入力５２ａ
５２ｂ  データ線選択パルス入力
５３    走査線選択信号
６０    データ線選択回路
６１    データ線制御回路
６２    データ線制御信号線
６３    データ入力
６４    アナログスイッチ
６５    共通データ入力
６６ａ、６６ｂ  アナログスイッチ対
６７    データ線選択信号
６８    ラッチ
６９    ラッチの出力
３００  携帯電話
３０１  操作ボタン
３０２  受話口
３０３  送話口
３０４  表示パネル
４００  ディジタルスチルカメラ
４０１  ケース
４０２  表示パネル
４０３  受光ユニット
４０４  シャッタボタン
４０５  回路基板
４０６  ビデオ信号出力端子
４０６Ａ  テレビモニタ
４０７  入出力端子
４０７Ａ  パーソナルコンピュータ
５００  電子ブック
５０１  フレーム
５０２  カバー
５０３  表示装置
５０４  操作部
６００  電子ペーパー
６０１  本体
６０２  表示ユニット
７００  電子ノート
７０１  カバー
８００  ディスプレイ
８０１  本体部
８０２ａ、８０２ｂ    搬送ローラ対
８０３  孔部
８０４  透明ガラス板
８０５  挿入口
８０６  端子部
８０７  ソケット
８０８  コントローラー
８０９  操作部
【図１】
2005148711.tif 000003
【図２】
2005148711.tif 000004
【図３】
2005148711.tif 000005
【図４】
2005148711.tif 000006
【図５】
2005148711.tif 000007
【図６】
2005148711.tif 000008
【図７】
2005148711.tif 000009
【図８】
2005148711.tif 000010
【図９】
2005148711.tif 000011
【図１０】
2005148711.tif 000012
【図１１】
2005148711.tif 000013
【図１２】
2005148711.tif 000014
【図１３】
2005148711.tif 000015
【図１４】
2005148711.tif 000016
【図１５】
2005148711.tif 000017
【図１６】
2005148711.tif 000018